(57)【特許請求の範囲】
【請求項１】
本体内に収納された送風手段および発熱手段と、前記本体の下部に設けた送風吹出ノズルと、この送風吹出ノズルの下方に乾燥空間を介して設けた水受け皿と、この水受け皿に形成した水抜き穴とこの水抜き穴の下部に形成した筒部と、この水抜き穴の下方に着脱可能に設けた水受けカップを有し、前記水抜き穴を一体に形成した手乾燥装置であって、前記水受けカップの上面を覆う蓋と、蓋に設けた流入穴が水受け皿の水抜き穴の直下を外した位置に設けられ、かつ、水受け皿の水抜き穴の直下から、流入穴にかけて、水抜き穴から流下する水滴を水抜き穴に案内するように傾斜溝が蓋に設けられている構成を特徴とした手乾燥装置。
【発明の詳細な説明】
【０００１】
【発明の属する技術分野】
本発明は、洗面所やトイレ等にて手を洗い、濡れた手を温風にて乾燥させる手乾燥装置に関するものである。
【０００２】
【従来の技術】
従来、この種の手乾燥装置では、トイレを使用した後や汚れた手を洗った後、ハンカチやタオルを使用せず、またハンカチなどを収納しているポケットを濡らすことなく、手を乾燥させる送風式の手乾燥装置が実用に供されている。
【０００３】
この手乾燥装置は、送風手段と発熱手段を内蔵し、手検出手段で、差し出された手を検出したとき運転を開始し、濡れている手の表面を温風により乾燥させている。このとき水滴が飛散して壁、床、衣服を濡らすため、その防止対策として、送風吹出ノズルの下方に水滴を受ける水受け皿を配置させ、この水受け皿の一部に水抜き穴を形成し、連続的に使用した際の水受け皿に溜まる水滴を、前記水抜き穴から水抜きしている。また排水口が近くにない場合は、水受け皿の下に水受けカップを設けて貯水し、満水になると水受けカップを外して排水するものであった。
【０００４】
【発明が解決しようとする課題】
このような従来の手乾燥装置においては、送風吹出ノズルから送風される風が、前記水抜き穴を通過して侵入するときに、騒音が異常に高くなるという課題があり、水抜き穴より騒音が発生しない手乾燥装置が求められている。
【０００５】
また、水抜き穴を通過して侵入した風が、水受けカップに溜まった水の表面に直接吹きつけられるため、水面が波立って水がこぼれるという課題があり、水のこぼれない手乾燥装置の構成が求められている。
【０００６】
本発明は、このような従来の課題を解決するもので、水抜き穴より発生する騒音を低減し、水抜き穴から温風が侵入しても水受けカップの水がこぼれることのない手乾燥装置を提供することを目的としている。
【０００７】
【課題を解決するための手段】
本発明の手乾燥装置は上記目的を達成するために、本体内に収納された送風手段および発熱手段と、前記本体の下部に設けた送風吹出ノズルと、この送風吹出ノズルの下方に乾燥空間を介して設けた水受け皿と、この水受け皿に形成した水抜き穴とこの水抜き穴の下部に形成した筒部と、この水抜き穴の下方に着脱可能に設けた水受けカップを有し、前記水抜き穴を一体に形成した手乾燥装置であって、前記水受けカップの上面を覆う蓋と、蓋に設けた流入穴が水受け皿の水抜き穴の直下を外した位置に設けられ、かつ、水受け皿の水抜き穴の直下から、流入穴にかけて、水抜き穴から流下する水滴を水抜き穴に案内するように傾斜溝が蓋に設けられている構成を特徴としたものであり、騒音が異常に上昇することがなく、水受けカップに溜まった水がこぼれることのない手乾燥装置を得ることができる。
【０００９】
【発明の実施の形態】
本発明は、本体内に収納された送風手段および発熱手段と、前記本体の下部に設けた送風吹出ノズルと、この送風吹出ノズルの下方に乾燥空間を介して設けた水受け皿と、この水受け皿に形成した水抜き穴とこの水抜き穴の下部に形成した筒部と、この水抜き穴の下方に着脱可能に設けた水受けカップを有し、前記水抜き穴を一体に形成した手乾燥装置であって、前記水受けカップの上面を覆う蓋と、蓋に設けた流入穴が水受け皿の水抜き穴の直下を外した位置に設けられ、かつ、水受け皿の水抜き穴の直下から、流入穴にかけて、水抜き穴から流下する水滴を水抜き穴に案内するように傾斜溝が蓋に設けられている構成を特徴としたものであり、この筒部は送風吹出ノズルより送風される勢いの強い温風が、水受け皿の水抜き穴から水受けカップへと流れるときに急拡散するのを防いで笛音の発生を少なく抑え、さらに水受けカップ内で共鳴した騒音が水抜き穴から外方へ拡散するのを防止し、また、水抜き穴を通過して侵入した風が、水受けカップに溜まった水の表面に直接吹きつけられて波立つのを防止でき、水受けカップから水がこぼれるのを防ぐという作用を有する。
【００１１】
以下本発明の実施例について、図面を参照しながら説明する。
【００１２】
【実施例】
図１〜図３に示すように、壁面に固定された本体１は、フロントケース２および下部に突設した水受け皿３で構成され、フロントケース２と水受け皿３の間に乾燥空間２ａを形成している。フロントケース２内には送風手段４、発熱手段５および制御手段８を設け、フロントケース２の下端部には送風吹出ノズル６を乾燥空間２ａおよび水受け皿３に向けて設置している。送風吹出ノズル６の近傍には乾燥空間２ａ内に差し出した手を検知する検知手段７を設け、前記制御手段８は検知手段７の検知信号を受けて送風手段４および発熱手段５を駆動制御している。
【００１３】
送風手段４はモータ９ａにより回転駆動されるブロワー９ｂを備え、この送風手段４と送風吹出ノズル６との間には発熱手段５としてＰＴＣヒータ５ａ，５ｂを配設している。ＰＴＣヒータ５ａ，５ｂと並列にバイパス風路１０を併設した発熱体収納枠１１を設け、下流側には送風吹出ノズル６を連通して設けている。
【００１４】
水受け皿３は、水滴を受けるために凹部を有するように皿状に形成され、この凹部の最底部には水抜き用の水抜き穴１２が設けられ、水抜き穴１２の下部に筒部１３が形成されている。水受けカップ１４は水抜き穴１２の下に位置し、水受け皿３に着脱可能に取り付けられている。なお、本体１は取付金具１５をねじ等の固定具１６にて洗面所等の壁面に固定され、本体１の後部側には下方に吸気口１７を有する吸気通路１８が形成され、送風手段４の空気吸込部分となる。
【００１５】
また、本体１から発生する騒音を下げるため、送風手段４の周囲には吸音材１９が設けられている。
【００１６】
上記構成において、まず送風吹出ノズル６の下方に手が差し込まれると、検知手段７が手を検知してその検知出力がオンとなり、制御手段８を介して送風手段４と発熱手段５を動作させて、送風吹出ノズル６より温風を送風する。温風の一部は、水抜き穴１２を通過して水受けカップ１４の方へ侵入するが、水抜き穴１２に筒部１３がない場合は、侵入した風は勢いが強いため、水抜き穴１２から急に吐出拡散して笛音が発生しやすく、また、この音が水受け皿３内にこもった時に発生する共鳴音とが、水抜き穴１２の周辺で合成されて大きな騒音となるものである。しかし、水抜き穴１２の下方に筒部１３を形成しているので、この筒部１３の働きにより、笛音の発生や共鳴音の放散を抑えることができる。この騒音の大きさは、水抜き穴１２の穴径に比例して大きくなり、筒部１３の長さに比例して小さくなるという特性を有している。
【００１７】
すなわち、水抜き穴１２の穴径をｄ、筒部１３の長さをｈとすると、水抜き穴１２の穴径ｄと手乾燥装置の騒音（ｄＢ）との関係はパラメータを筒長比ｈ／ｄとして図４の特性図で示され、水抜き穴１２の穴径ｄが大きいほど騒音は大きくなる。また特性曲線（イ）は筒部１３を設けていない場合を示し、筒長比ｈ／ｄ＝０．５の特性曲線（ロ）は特性曲線（イ）に対して約３ｄＢ低減し、筒長比ｈ／ｄ＝１の特性曲線（ハ）は約４ｄＢ低減することがわかる。
【００１８】
また、図５は筒長比ｈ／ｄに対する騒音（ｄＢ）の関係を示す特性図であり、筒長比ｈ／ｄが大きいほど騒音は小さくなるが、筒長比ｈ／ｄが１以上ではその差はほとんどなくなる。
【００１９】
したがって水抜き穴１２の下部にこの穴と同一径の筒部１３を形成することにより、笛音や共鳴音などの騒音を低減し、さらに筒長比をｈ／ｄ＝０．５以上とすることにより、騒音の低減効果をより大きくすることができる。
【００２１】
水受けカップ１４の上面を覆う蓋２０を設け、この蓋２０に開孔する流入穴２１を、水受け皿３の水抜き穴１２の直下を外した位置に設けている。さらに水抜き穴１２から流下する水滴を流入穴２１に案内する傾斜溝２２を蓋２０に形成している。
【００２２】
上記構成において、手を乾燥するときは、水受け皿３に付着した水滴は水抜き穴１２を流下し、水受けカップ１４の蓋２０に形成した傾斜溝２２に沿って流れ、流入穴２１から水受けカップ１４に貯えることができる。
【００２３】
また送風吹出ノズル６より吹き出された温風の一部は、水抜き穴１２を通過して水受けカップ１４の方へ侵入するが、水抜き穴１２の直下には水受けカップ１４を覆う蓋２０があり、流入穴２１は直下を外した位置に設けてあるため、侵入した風は蓋２０に沿って拡散するのみで、水受けカップ１４内の水表面に直接吹きつけることがない。したがって水受けカップ１４に溜まった水の波立ちを防止し、周囲にこぼれるのを防止することができる。
【００２４】
【発明の効果】
以上の実施例から明らかなように、本発明の手乾燥装置は、水受け皿に設けた水抜き穴の下方に同一内径の筒部を一体に形成し、水受けカップの上面を覆う蓋を設け、この蓋に開孔する流入穴を水受け皿の水抜き穴の直下を外して設けることにより、送風吹出ノズルから送風される風が前記水抜き穴を通過して侵入するときに発生しやすい騒音を抑制することができ、また、水抜き穴を通過して侵入した風が、水受けカップに溜まった水の表面に直接吹きつけられるのを防止できるため、水受けカップから水がこぼれるのを防ぐことができるという効果のある手乾燥装置を提供できる。
【図面の簡単な説明】
【図１】  （ａ）本発明の実施例の手乾燥装置を示す側断面図
（ｂ）同水受けカップおよび蓋の外観斜視図
【図２】  同外観斜視図
【図３】  同Ａ部詳細図
【図４】  同水抜き穴径と騒音との関係を示す特性図
【図５】  同筒長比と騒音との関係を示す特性図
【符号の説明】
１    本体
２ａ  乾燥空間
３    水受け皿
４    送風手段
５    発熱手段
６    送風吹出ノズル
１２  水抜き穴
１３  筒部
１４  水受けカップ
２０  蓋
２１  流入穴
【図１】
0003821520.tif 000002
【図２】
0003821520.tif 000003
【図３】
0003821520.tif 000004
【図４】
0003821520.tif 000005
【図５】
0003821520.tif 000006